(57)【要約】【課題】  筐体と蓋部材との間の機械的ガタを吸収するとともに、ロック解除操作後、蓋部材が閉じ位置にあるときにはロック解除状態を保持する。【解決手段】  装填蓋１６は、ヒンジ部３１を介して開閉自在に取り付けられている。ロック機構３０は、蓋ロック部材４１と、コイルバネ４２と、操作部材２０と一体に形成されたロック解除保持部材４３と、筐体３に形成された係止突起４６，４７とからなる。閉じ位置且つロック状態のとき、蓋ロック部材４１のロック爪５２は、傾斜面５２ｂが係止突起４６に係止されて保持されている。操作部材２０を下方へ移動してロック解除操作を行うと、ロック爪５２と係止突起４６の係止が解除されるとともに、ロック解除保持部材４３の被係止爪４３ｂが係止突起４７に係止される。蓋１６が開放位置へ移動すると、係止突起４７による被係止爪４３ｂの係止は解除される。【選択図】        図４
2006135257.tif 000002
【特許請求の範囲】
【請求項１】
開口が形成された筐体と、一端に設けられたヒンジ部を介して前記筐体に取り付けられ、前記開口を閉塞する閉じ位置、及び開放する開放位置の間で回動可能とされた蓋部材と、この蓋部材を閉じ位置にロックするロック機構と、前記蓋部材に設けられ、前記ロック機構のロックを解除して前記蓋部材の開放位置への回動を許容するロック解除操作を行う操作部材とを備えた電子機器において、
前記ロック機構は、前記開口の近傍で前記筐体に設けられた第１の係止突起と、前記第１の係止突起の突出方向に対して傾斜する傾斜面が形成され、この傾斜面が前記第１の係止突起に当接して係止されるロック位置、及び前記第１の係止突起から退避して係止が解除されるロック解除位置の間で移動自在に設けられ、前記操作部材と連動する蓋ロック部材と、この蓋ロック部材を前記ロック位置に付勢する付勢部材と、前記操作部材と一体に設けられ、前記蓋ロック部材をロック解除位置に保持するロック解除保持位置、及び前記蓋ロック部材の移動を許容するロック許容位置の間で移動自在に設けられたロック解除保持部材とからなり、前記操作部材のロック解除操作をしたとき、この操作部材の移動に連動した前記蓋ロック部材が付勢に抗してロック解除位置に移動するとともに前記ロック解除保持部材がロック許容位置からロック解除保持位置に移動して前記蓋部材がロック解除状態となり、このロック解除状態の前記蓋部材が開放位置に移動すると、前記ロック解除保持部材がロック解除保持位置からロック許容位置に移動して前記蓋ロック部材が前記ロック位置に復帰することを特徴とする電子機器。
【請求項２】
前記筐体の前記ヒンジ部近傍には、前記蓋部材の回転方向に向かって突出する第２の係止突起が設けられており、前記ロック解除保持部材は、前記ロック解除保持位置にあるときに前記第２の係止突起の係止され、前記ロック許容位置にあるときに前記第２の係止突起による係止が解除されることを特徴とする請求項１記載の電子機器。
【請求項３】
前記第２の係止突起には、前記蓋部材の回転方向に対して傾斜する位置決め傾斜面が形成されており、前記蓋部材が閉じ位置且つ前記蓋ロック部材がロック位置にあるときに前記ロック解除保持部材の先端面が前記位置決め傾斜面と当接するように配設していることを特徴とする請求項２記載の電子機器。
【発明の詳細な説明】
【技術分野】
【０００１】
本発明は、筐体を開閉する蓋部材を閉じ位置にロックするとともに、操作部材のロック解除操作により蓋部材の開放位置への移動を許容する電子機器に関する。
【背景技術】
【０００２】
従来より、電子機器などの筐体に対して開閉自在に取り付けられた蓋部材を閉じ位置に保持するロック機構が設けられている。このロック機構は、筐体又は蓋部材に設けられた操作部材を操作することによってロックを解除し、蓋部材の開放位置への移動を許容する。このようなロック機構を設けた蓋部材の構造は、例えば特許文献１〜３に記載されている。
【０００３】
特許文献１に記載されているカメラの背蓋のロック機構では、背蓋開閉ツマミに設けられた係止部が背蓋に設けられたロック爪を係止した後、背蓋開閉ツマミが斜めに移動する構成としており、これによって背蓋開閉状態に生じるカメラと背蓋との隙間を吸収し、機械的ガタを無くすようにしている。また、特許文献２に記載されているカメラでは、蓋部材のロック爪に係合する係合位置に付勢されたロック部材と、このロック部材とともにロック爪を挟み込む突起部によってロック爪を背蓋の閉じ方向に引き込み、カメラと背蓋との隙間を無くすようにしている。
【０００４】
一方、特許文献３に記載されている蓋開閉装置では、操作部材を操作して蓋をロック解除状態にした後、この蓋が開放位置に移動するまではロック解除状態が保持されるようになっており、ロック解除後に外的負荷によって蓋を開くことができないような状態になっても、その外的負荷を取り除けば、再度ロック解除操作を行うことなしに、蓋が開かれるようになっている。
【特許文献１】特開平７−２８１２６１号公報
【特許文献２】特開平１１−２０２３９２号公報
【特許文献３】特開平１１−２２０２７１号公報
【発明の開示】
【発明が解決しようとする課題】
【０００５】
しかしながら、上記特許文献１，２記載のロック機構の構造では、蓋部材と筐体との間の機械的ガタを吸収して蓋部材を隙間無く閉じ位置に保持することができるものの、特許文献１，２のような構成とすると、部品点数が多く、またこのようなロック機構を組み込むためのスペースを筐体側に大きく取る必要がある。よって、機器全体のローコスト化の妨げとなり、また限られた組み込みスペースしかない電子機器の筐体には、このような機構を組み込むことができない。
【０００６】
また、上記特許文献３では、蓋部材をロック解除状態とすると、開放位置に移動するまでロック解除状態が保持されるようになっており、操作部材の無駄な操作を省き、良好な操作性を得ることができるが、やはり、部品点数が多く、筐体側にスペースを大きく取らなくてはならない。
【０００７】
本発明は、上記課題を鑑みてなされたものであり、筐体と蓋部材との間の機械的ガタを吸収して隙間無く閉じ位置に保持することを可能とするとともに、ロック解除操作後、蓋部材が閉じ位置にあるときにはロック解除状態を保持する構造を持った電子機器をローコストに提供することを目的とする。
【課題を解決するための手段】
【０００８】
上記目的を達成するために、本発明は、開口が形成された筐体と、一端に設けられたヒンジ部を介して前記筐体に取り付けられ、前記開口を閉塞する閉じ位置、及び開放する開放位置の間で回動可能とされた蓋部材と、この蓋部材を閉じ位置にロックするロック機構と、前記蓋部材に設けられ、前記ロック機構のロックを解除して前記蓋部材の開放位置への回動を許容するロック解除操作を行う操作部材とを備えた電子機器において、前記ロック機構は、前記開口の近傍で前記筐体に設けられた第１の係止突起と、前記第１の係止突起の突出方向に対して傾斜する傾斜面が形成され、この傾斜面が前記係止突起に当接して係止されるロック位置、及び前記第１の係止突起から退避して係止が解除されるロック解除位置の間で移動自在に設けられ、前記操作部材と連動する蓋ロック部材と、この蓋ロック部材を前記ロック位置に付勢する付勢部材と、前記操作部材と一体に設けられ、前記蓋ロック部材をロック解除位置に保持するロック解除保持位置、及び前記蓋ロック部材の移動を許容するロック許容位置の間で移動自在に設けられたロック解除保持部材とからなり、前記操作部材のロック解除操作をしたとき、この操作部材の移動に連動した前記蓋ロック部材が付勢に抗してロック解除位置に移動するとともに前記ロック解除保持部材がロック許容位置からロック解除保持位置に移動して前記蓋部材がロック解除状態となり、このロック解除状態の前記蓋部材が開放位置に移動すると、前記ロック解除保持部材がロック解除保持位置からロック許容位置に移動して前記蓋ロック部材が前記ロック位置に復帰することを特徴とする。
【０００９】
なお、前記筐体の前記ヒンジ部近傍には、前記蓋部材の回転方向に向かって突出する第２の係止突起が設けられており、前記ロック解除保持部材は、前記ロック解除保持位置にあるときに前記第２の係止突起の係止され、前記ロック許容位置にあるときに前記第２の係止突起による係止が解除されることが好ましい。また、前記第２の係止突起には、前記蓋部材の回転方向に対して傾斜する位置決め傾斜面が形成されており、前記蓋部材が閉じ位置且つ前記蓋ロック部材がロック位置にあるときに前記ロック解除保持部材の先端面が前記位置決め傾斜面と当接するように配設していることが好ましい。
【発明の効果】
【００１０】
本発明の電子機器は、蓋部材のロック機構は、筐体の開口近傍で筐体に設けられた第１の係止突起と、第１の係止突起の突出方向に対して傾斜する傾斜面が形成され、この傾斜面が第１の係止突起に当接して係止されるロック位置、及び第１の係止突起から退避して係止が解除されるロック解除位置の間で移動自在に設けられ、操作部材と連動する蓋ロック部材と、この蓋ロック部材をロック位置に付勢する付勢部材と、操作部材と一体に設けられ、蓋ロック部材をロック解除位置に保持するロック解除保持位置、及び蓋ロック部材の移動を許容するロック許容位置の間で移動自在に設けられたロック解除保持部材とからなり、操作部材のロック解除操作をしたとき、この操作部材の移動に連動した蓋ロック部材が付勢に抗してロック解除位置に移動するとともにロック解除保持部材がロック許容位置からロック解除保持位置に移動して蓋部材がロック解除状態となり、このロック解除状態の蓋部材が開放位置に移動すると、ロック解除保持部材がロック解除保持位置からロック許容位置に移動して蓋ロック部材がロック位置に復帰するという構成なので、筐体と蓋部材との間の機械的ガタを吸収して隙間無く閉じ位置に保持することを可能とするとともに、ロック解除操作後、蓋部材が閉じ位置にあるときにはロック解除状態を保持することが可能な電子機器をローコストに提供することができる。
【００１１】
また、筐体の前記ヒンジ部近傍には、蓋部材の回転方向に向かって突出する第２の係止突起が設けられており、ロック解除保持部材は、ロック解除保持位置にあるときに第２の係止突起の係止され、ロック許容位置にあるときに第２の係止突起による係止が解除されるので、よりシンプルな構成とすることを可能とし、さらにローコスト化を図ることができる。
【００１２】
また、第２の係止突起には、蓋部材の回転方向に対して傾斜する位置決め傾斜面が形成されており、蓋部材が閉じ位置且つ蓋ロック部材がロック位置にあるときにロック解除保持部材の先端面が位置決め傾斜面と当接するように配設しているので、機械的ガタをさらに無くすことが可能となる。
【発明を実施するための最良の形態】
【００１３】
本発明を適用したデジタルカメラの外観斜視図を図１及び図２に示す。このデジタルカメラ２の筐体３は、正面から見て縦長の矩形状に形成されている。筐体３の前面には、撮像レンズ１０を保持するレンズ鏡胴１１、対物窓１２が組み込まれている。筐体３の上面には、レリーズボタン１３、モードダイヤル１４が設けられている。
【００１４】
筐体３の側面には、開口１５が形成され、この開口１５を開閉自在にする装填蓋１６が設けられている。さらに装填蓋１６には、ロック解除操作を行う操作部材２０が設けられている。この装填蓋１６を開放位置にすると、内部に形成されたスロット１７，１８が露呈する。スロット１７，１８には、種類の異なるメモリカード２１，２２がそれぞれ着脱自在に取り付けられる。スロット１７，１８の奥には、メモリカード２１，２２が接続されるコネクタ２６，２７が設けられている（図４参照）。メモリカード２１，２２としては、例えば不揮発性の半導体メモリであるフラッシュメモリが使用されている。さらに筐体３の背面には、ＬＣＤパネル（図示せず）、接眼窓２３などが設けられている。また、接眼窓２３は上述の対物窓１２とともに光学式ファインダを構成する。
【００１５】
図３，４には、装填蓋１６、及びこの装填蓋１６を閉じ位置にロックするロック機構３０周辺の構成を示す。装填蓋１６には、その一端１６ａにヒンジ部３１が設けられており、このヒンジ部３１が、筐体３に形成された回転軸３２（図４参照）に嵌合して、開口１５を蓋部材１６が閉塞する閉じ位置（図１に示す位置）、及び開放する開放位置（図２に示す位置）の間で回動可能とする。また、ヒンジ部３１には、スリット３１ａが形成されており、このスリット３１ａ内に組み込まれた捻りバネ３３が装填蓋１６を開放位置に付勢する。
【００１６】
さらに、装填蓋１６には、開口３４が形成されており、この開口３４から操作部材２０が露呈する。開口３４は、装填蓋１６のヒンジ部３１の軸方向と直交する方向（Ａ方向）に延びるように形成されている。操作部材２０は、この開口３４に沿って移動し、装填蓋１６の他端１６ｂ寄りの第１操作位置（図６（Ａ）参照）、及び一端１６ａ寄りの第２操作位置（図６（Ｂ）参照）の間で移動自在となっている。また、装填蓋１６には、押え板３６が取り付けられる。この押え板３６は、装填蓋１６とともに、操作部材２０及びロック機構３０の各種部材を挟み込んで保持する。
【００１７】
ロック機構３０は、図３及び図４に示すように、蓋ロック部材４１と、付勢部材としてのコイルバネ４２と、操作部材２０と一体に形成されたロック解除保持部材４３と、筐体３に形成された第１及び第２の係止突起４６，４７とからなる。第１の係止突起４６は、開口１５の近傍に２箇所形成されており、閉じ位置にある装填蓋１６の他端１６ｂ付近に対応する位置からヒンジ部３１に向かって突出する。
【００１８】
蓋ロック部材４１は、２つの円柱部５１と、この円柱部５１の先端にそれぞれ位置するロック爪５２と、連結部５３とからなる。連結部５３は、２つの円柱部５１を互いに平行に且つ一定間隔を置いて連結するように形成されている。円柱部５１には、コイルバネ４２の一端部４２ａが嵌め込まれる。また、コイルバネ４２の他端部４２ｂは、装填蓋１６に設けられた突起部１６ｃに取り付けられる。
【００１９】
２つのロック爪５２は、第１の係止突起４６に対応する位置にそれぞれ設けられ、押え板３６の端縁から切り欠かれたスリット３６ａに沿ってスライド自在に取り付けられるとともに、装填蓋１６の他端１６ｂに形成された切り欠き１６ｄから露呈する。ロック爪５２には、詳しくは図５に示すように、先端面５２ａ、この先端面５２ａに向かって徐々に先細りするように延びる傾斜面５２ｂ，５２ｃ、傾斜面５２ｂから先端面５２ａまでの間を繋ぐ平坦面５２ｄが形成されている。
【００２０】
傾斜面５２ｂは、装填蓋１６が閉じ位置にあるとき、第１の係止突起４６の突出方向に対して傾斜するように形成されている。平坦面５２ｄは、装填蓋１６が閉じ位置にあるとき、第１の係止突起４６と平行になるように形成されている。また、傾斜面５２ｃは、傾斜面５２ｂと反対側に位置し、装填蓋１６を開放位置から閉じ位置に回動するとき、第１の係止突起４６と当接するように形成されている。円柱部５１に嵌めこまれたコイルバネ４２は連結部５３と当接して蓋ロック部材４１をロック位置に付勢する。なお、蓋ロック部材４１をロック位置に付勢する付勢部材はコイルバネに限らず、板バネなどでも良い。
【００２１】
蓋ロック部材４１は、傾斜面５２ｂが第１の係止突起４６と当接して係止され、装填蓋１６が閉じ位置にロックされるロック位置、及び係止突起４６から退避して係止が解除され、装填蓋１６のロックを解除するロック解除位置の間で移動自在となっている。また、装填蓋１６は、２つのロック爪５２が第１の係止突起４６によって係止されて閉じ位置に保持されるので、安定して保持され、且つ開閉動作をスムーズに行うことができる。
【００２２】
第２の係止突起４７は、ヒンジ部３１の近傍で、装填蓋１６の回転方向（Ｂ方向）に沿って突出し、ヒンジ部３１と反対側の位置に方向Ｂに対して傾斜する位置決め傾斜面４７ａが形成されている。
【００２３】
ロック解除保持部材４３には、係止溝４３ａ、被係止爪４３ｂが形成されている。係止溝４３ａは、蓋ロック部材４１の連結部５３と当接する。これによって、蓋ロック部材４１は、ロック解除保持部材４３及び操作部材２０と一体となって移動する。被係止爪４３ｂは、押え板３６に形成された切り欠き３６ｂから突出し、先端面４３ｃが第２の係止突起４７の傾斜面４７ａと対面する位置にあり、この傾斜面４７ａを乗り越えて第２の係止突起４７に係止される係止位置と、第２の係止突起４７による係止が解除される係止解除位置との間で移動する。
【００２４】
上記構成の作用について、図６及び図７を用いて説明する。なお、図６（Ａ）は、装填蓋１６が閉じ位置かつロック状態、図６（Ｂ）は装填蓋１６が閉じ位置かつロック解除状態、図７（Ａ）は、閉じ位置から開放位置への移動途中、図７（Ｂ）は、開放位置の状態を示す。
【００２５】
先ず、閉じ位置に保持されている装填蓋１６を開放位置へ回動するときのプロセスを説明する。閉じ位置にロックされている装填蓋１６（図６（Ａ）に示す状態）のロックを解除するには、操作部材２０を第１操作位置から第２操作位置へ移動させる。これにより、蓋ロック部材４１がコイルバネ４２の付勢に抗してロック位置からロック解除位置に移動して、装填蓋１６のロックが解除される。このとき、操作部材２０と一体となって移動したロック解除保持部材４３の被係止爪４３ｂが、位置決め傾斜面４７ａを乗り越えて第２の係止突起４７に係止される。これにより、ロック解除保持部材４３と当接する蓋ロック部材４１は、ロック解除位置に保持された状態となり、装填蓋１６は、閉じ位置かつロック解除状態となる（図６（Ｂ）に示す状態）。
【００２６】
ロック解除状態となった装填蓋１６は、バネ３３の付勢によって開放位置へ回動する。なお、図６（Ｂ）に示す状態のとき、外的負荷などにより装填蓋１６が開放位置への移動ができないようになっても、ロック解除状態が保持されており、外的負荷を取り除けば開放位置への移動が許容される。開放位置への移動を開始した装填蓋１６は、図７（Ａ）に示すように、第２の係止突起４７による被係止爪４３ｂの係止が解除される。そして、装填蓋１６が開放位置へ移動すると、コイルバネ４２の付勢によって、蓋ロック部材４１はロック位置へ復帰し、同時に操作部材２０も第１操作位置に復帰する。このように、ロック解除操作後、装填蓋１６が閉じ位置にあるときにはロック解除状態を保持し、開放位置への移動を開始すると、蓋ロック部材４１の移動を許容するようになっているので、装填蓋１６の開き操作において、良好な操作性を得ることができる。
【００２７】
次に、開放位置に保持されている装填蓋１６を閉じ位置へ回動するときのプロセスを説明する。使用者が装填蓋１６を押圧して、開放位置（図７（Ｂ）に示す状態）になっている装填蓋１６を閉じ位置へ回動させると、第１の係止突起４６にロック爪５２の傾斜面５２ｃが当接する。装填蓋１６をさらに押圧すると、第１の係止突起４６を乗り越えてロック爪５２が第１の係止突起４６に係止され、装填蓋１６が閉じ位置にロックされる。このとき、ロック爪５２は、上述したように傾斜面５２ｂが第１の係止突起４６に当接しているとともにコイルバネ４２によって付勢されているので、コイルバネ４２の押え付ける力が装填蓋１６側から筐体３側へ向かっていく。これによって、筐体３と装填蓋１６との間の機械的ガタを吸収して、装填蓋１６を隙間無く閉じ位置に保持することができる。さらに、ロック機構３０を少ない部品で構成することができるので、装置全体のローコスト化を図ることができる。また、装填蓋１６が閉じ位置にあるとき、上述したようにロック解除保持部材４３の被係止爪４３ｂが第２の係止突起４７の位置決め傾斜面４７ａに当接しているので、ロック解除保持部材４３が位置決めされ、機械的ガタをさらに無くすことができる。なお、使用者が装填蓋１６を意図的に開けようとするときではなく、操作部材２０が擦られたり、引っ掛かったりしたときなどに装填蓋１６が開き方向への力を受けたときには、ロック爪５２の平坦部５２ｃが第１の係止突起４６に当接するので、使用者が気付かないうちに装填蓋１６が開いてしまうことを防ぐことができる。
【００２８】
上記実施形態では、電子機器としてデジタルカメラを例示して説明したが、本発明はこれに限定されず、筐体に開口部が形成され、この開口部を開閉自在に取り付けられた蓋部材を有する電子機器であればどのようなものにでも適用することができる。また蓋部材の例として、メモリカードを装填可能にする装填蓋を上げているがこれに限るものではなく、例えば、電池や他のものを収納する収納室を開閉する収納蓋などでもよい。
【図面の簡単な説明】
【００２９】
【図１】本発明を適用したデジタルカメラの装填蓋を閉じ位置にしたときの外観斜視図である。
【図２】本発明を適用したデジタルカメラの装填蓋を開放位置にしたときの外観斜視図である。
【図３】装填蓋及びロック機構の構成を示す斜視図である。
【図４】装填蓋が閉じ位置にあるときの状態を示す要部断面図である。
【図５】装填蓋が閉じ位置にあるときのロック爪周辺の構成を示す要部断面図である。
【図６】装填蓋が閉じ位置にあり、ロックされた状態（Ａ）及びロック解除された状態（Ｂ）を示す説明図である。
【図７】装填蓋が閉じ位置から開放位置に回動する途中（Ａ）及び開放位置となった状態（Ｂ）を示す説明図である。
【符号の説明】
【００３０】
２  デジタルカメラ
３  筐体
１６  装填蓋
２０  操作部材
４１  蓋ロック部材
４３  ロック解除保持部材
【図１】
2006135257.tif 000003
【図２】
2006135257.tif 000004
【図３】
2006135257.tif 000005
【図４】
2006135257.tif 000006
【図５】
2006135257.tif 000007
【図６】
2006135257.tif 000008
【図７】
2006135257.tif 000009